(57)【要約】      （修正有）【課題】継続的な振動が付与される機械装置等の締結部において、ナットのゆるみを防止して事故を未然に防ぐことのできるナットゆるみ止めリングを提供する。【解決手段】板材２１の中心に円形孔２２を形成し、該板材の外周部を折り曲げてナットに対応する六角形状に形成し、円形孔の内縁部の一部を切欠して該切欠部を齟齬状２４に形成し、内縁部がボルトのネジ山に沿って螺合可能に形成し、ナットゆるみ止めリング本体２の硬度がボルトの硬度より高い材質で成形する。ナットゆるみ止めリング本体をボルトに螺着して、ボルトに螺着されたナットに当接させ、更に強制的に締め付けることによって、齟齬状２４の先端部２５がボルトのネジ山の一部を切削して固定するように構成する。【選択図】図２
0003154249.tif 000002
【実用新案登録請求の範囲】
【請求項１】
板材の中心に円形孔を形成し、該板材の外周部を折り曲げてナットに対応する六角形状に形成し、円形孔の内縁部の一部を切欠して該切欠部を齟齬状に形成し、内縁部がボルトのネジ山に沿って螺合可能に形成したことを特徴とするナットゆるみ止めリング。
【請求項２】
ナットゆるみ止めリング本体の硬度がボルトの硬度より大きい硬度の材質で成形されていることを特徴とする請求項１記載のナットゆるみ止めリング。
【請求項３】
ナットゆるみ止めリング本体をボルトに螺着して、ボルトに螺着されたナットに当接させ、更に強制的に締め付けることによって、齟齬状の先端部がボルトのネジ山の一部を切削して固定するように構成したことを特徴とする請求項１記載のナットゆるみ止めリング。
【考案の詳細な説明】
【技術分野】
【０００１】  本考案はナットゆるみ止めリングに関し、特に継続的な振動が付与される機械装置や鉄道周辺構造物、建築建造物、架線、橋梁、鉄塔、車両等の締結部において、ナットのゆるみを防止して事故を未然に防ぐことのできるナットゆるみ止めリングに関するものである。
【背景技術】
【０００２】  従来、特に継続的な振動が付与される機械装置や鉄道周辺構造物、建築建造物、架線、橋梁、鉄塔、車両等の締結部においては、振動や回転、衝撃等によってナットの締め付けが次第にゆるんでくることがある。
締結部のゆるみによって、固定状態が不安定になり締結構造物の強度が落ち、又はボルトやナット自体が落下する危険性も生じ、ときとして重大な事故につながるおそれがある。
【先行技術文献】
【０００３】
【特許文献１】  特開昭６３−２７０９１１号公報
【特許文献２】  特許平３−３１１号公報
【０００４】  前記せる特開昭６３−２７０９１１号は、円孔に臨む縁を円孔に向けて肉薄に形成したことにより該縁が螺子谷部に深く歯合するため逆転後退を防止すると発明の効果に記載しており、板材の円孔の縁がボルトとナットの螺子山間で挟持されるようになっている。
【０００５】  また、前記せる特開平３−３１１号は、板体に形成した円形孔の側縁がネジ溝内に深くくい込み、ゆるみ止めリングは回転を阻止され、締め付けたナットのゆるみ方向の回転が不可能になるので、ナットのゆるみ止め作用を成すと記載されている。
【０００６】  上記引用文献の何れにおいても、ゆるみ止めリングの縁の一部をボルトの溝内にくい込ませる構造になっている。
【考案の概要】
【考案が解決しようとする課題】
【０００７】  前記せるような従来のゆるみ止めリングの円形孔の内縁の一部をボルトの溝内にくい込ませる構造では、長期間にわたる継続的または断続的な振動を受ける機械装置や鉄道周辺構造物、建築建造物、架線、橋梁、鉄塔、車両等の締結部においては次第にナットのゆるみが生じる問題があった。【０００８】  これに対して本考案では前記せるようなゆるみ止めリングの円形孔の内縁の一部をボルトの溝内にくい込ませる構造ではなく、ゆるみ止めリングを強制的に螺合しながらボルトより大きな硬度を有する板体で構成されるゆるみ止めリングの内縁の一部でボルトのネジ山を切削して強固に固定し、ナットのゆるみ止めを完全にすることが課題である。
【課題を解決するための手段】
【０００９】  本考案は前記せる課題を解決するために鋭意研究されたものであり、板材の中心に円形孔を形成し、該板材の外周部を折り曲げてナットに対応する六角形状に形成し、円形孔の内縁部の一部を切欠して該切欠部を齟齬状に形成し、内縁部がボルトのネジ山に沿って螺合可能に形成したことを特徴とし、ナットゆるみ止めリング本体の硬度がボルトの硬度より大きい硬度の材質で成形されていることを特徴とし、ナットゆるみ止めリング本体をボルトに螺着して、ボルトに螺着されたナットに当接させ、更に強制的に締め付けることによって、齟齬状の先端部がボルトのネジ山の一部を切削して固定するように構成したことを特徴とするナットゆるみ止めリングを提供するものである。
【考案の効果】
【００１０】  本考案では従来例のようなゆるみ止めリングの円形孔の内縁の一部をボルトの溝内にくい込ませる構造ではなく、ゆるみ止めリングを強制的に螺合しながらボルトより大きな硬度を有する板体で構成されるゆるみ止めリングの内縁の一部でボルトのネジ山を切削して強固に固定するので、ナットのゆるみを完全に防止することができる。
【図面の簡単な説明】
【００１１】
【図１】本考案のナットゆるみ止めリングの使用状態を示す部分斜視図である。
【図２】本考案のナットゆるみ止めリングの斜視図である。
【図３】本考案のナットゆるみ止めリングの使用状態の部分断面図である。
【図４】本考案のナットゆるみ止めリングの螺着の過程を示す部分断面図である。
【考案を実施するための形態】
【００１２】  以下、図面に基づき、本考案のナットゆるみ止めリングについて具体的に説明する。
図面に於いて、図１は本考案のナットゆるみ止めリングの使用状態を示す部分斜視図である。図２は本考案のナットゆるみ止めリングの斜視図である。図３本考案のナットゆるみ止めリングの使用状態の部分断面図である。図４は本考案のナットゆるみ止めリングの螺着の過程を示す部分断面図である。
【００１３】  図１では、締結部５、６を締結する場合、ボルト１を介して座金４、ナット３、ナットゆるみ止めリング２を螺着させて締結する例が示されている。
【００１４】  図２は本考案のナットゆるみ止めリング２の斜視図であるが、板材２１の中心に円形孔２２を形成し、該板材２１の外周部２３を折り曲げてナットに対応する六角形状に形成されており、円形孔２２の内縁部の一部を切欠して該切欠部２４が齟齬状に形成されている。
【００１５】  図３乃至図４に示すように、板材２１の内縁部がボルト１のネジ山１１に沿って螺合可能に形成されている。
【００１６】  ナットゆるみ止めリング２本体をボルト１に螺着して、ボルト１に螺着されたナット３に図４乃至図３の点線表示のように当接させると、この時点ではナットゆるみ止めリング２とボルト３との間には空隙７が存在する。
【００１７】  次いで、ナットゆるみ止めリング２の本体がナット３に密着するように、レンチを用いて締め付け、更に強制的に締め付けることができる。
【００１８】  ナットゆるみ止めリング２の本体の硬度はボルトの硬度より大きい硬度の材質で成形されているので、レンチを用いて更に強制的に締め付けることによって齟齬状の先端部２５がボルト１のネジ山先端部１２を切削して強固に固定される。
【００１９】  先端部２５がボルト１のネジ山先端部１２を切削して固定されることは、極めて強固に固定されるので、従来例のようなゆるみ止めリングの円形孔の内縁の一部をボルトの溝内にくい込ませる構造よりもはるかに強く固定されるので、ナットの逆回転のゆるみが生じない。
【産業上の利用可能性】
【００２０】  本考案は以上説明したように、確実なナットゆるみ止め効果があるので、特に継続的な振動が付与される機械装置や鉄道周辺構造物、建築建造物、架線、橋梁、鉄塔、車両等の締結部において、ナットのゆるみを防止して事故を未然に防ぐことのできるので、産業上の利用可能性が大きいものである。
【符号の説明】
【００２１】１    ボルト
１１  ネジ部
１２  ネジ山部
２    ナットゆるみ止めリング
２１  板材
２２  円形孔
２３  側面
２４  齟齬部
２５  先端部
２６  先端部
３    ナット
４    座金
５    締結部
６    締結部
７    空隙部
【図１】
0003154249.tif 000003
【図２】
0003154249.tif 000004
【図３】
0003154249.tif 000005
【手続補正書】
【提出日】平成21年8月12日(2009.8.12)
【手続補正１】
【補正対象書類名】明細書
【補正対象項目名】００１１
【補正方法】変更
【補正の内容】
【００１１】
【図１】本考案のナットゆるみ止めリングの使用状態を示す部分斜視図である。
【図２】本考案のナットゆるみ止めリングの斜視図である。
【図３】本考案のナットゆるみ止めリングの使用状態の部分断面図である。
【手続補正２】
【補正対象書類名】明細書
【補正対象項目名】００１２
【補正方法】変更
【補正の内容】
【００１２】  以下、図面に基づき、本考案のナットゆるみ止めリングについて具体的に説明する。
図面に於いて、図１は本考案のナットゆるみ止めリングの使用状態を示す部分斜視図である。図２は本考案のナットゆるみ止めリングの斜視図である。図３本考案のナットゆるみ止めリングの使用状態の部分断面図である。
【手続補正３】
【補正対象書類名】明細書
【補正対象項目名】００１５
【補正方法】変更
【補正の内容】
【００１５】  図３に示すように、板材２１の内縁部がボルト１のネジ山１１に沿って螺合可能に形成されている。
【手続補正４】
【補正対象書類名】明細書
【補正対象項目名】００１６
【補正方法】変更
【補正の内容】
【００１６】  ナットゆるみ止めリング２本体をボルト１に螺着して、ボルト１に螺着されたナット３に図３の点線表示のように当接させると、この時点ではナットゆるみ止めリング２とボルト３との間には空隙７が存在する。